(57)【要約】  【課題】  検体採取時に、軸部から押圧力が加わった場合に、この押圧力を吸収して、人体に損傷や刺激を与えることを防ぐことができるブラシを提供する。  【解決手段】  ブラシ１０は、軸部１と、この軸部１の一端に検体採取部２とを有している。また、検体採取部２は細棒状の湾曲部３を有しており、両端部４ａ、４ｂが軸部端部１ａで結合されて、ループ形状に形成されてある。また、湾曲部３の表面には、繊維５が植設されてある。繊維５の湾曲部３の表面への植設は、静電植毛を採用することによって、均一な毛丈となるようにすることができる。また、細棒状の検体採取部２のループ形状に形成されてある内側部分にも繊維５が植設されてある。【選択図】図１
2012024119.tif 000002
【特許請求の範囲】
【請求項１】
検体を収集し、保持すると共に、該検体を移送する為のものであって、軸部と前記軸部の一端に検体採取部とを有したブラシにおいて、前記検体採取部は細棒状の湾曲部を有すると共に、前記湾曲部の表面に繊維が植設されてあり、被採取部の壁面等に当接した時に変形可能に形成されてあることを特徴とするブラシ。
【請求項２】
検体採取部は、細棒状の両端部が軸部端部で結合され、ループ形状に形成されてあることを特徴とする請求項１に記載のブラシ。
【請求項３】
検体採取部は、外力によって容易に変形可能な弾性促進部が設けられていることを特徴とする請求項１または２に記載のブラシ。
【請求項４】
軸部と検体採取部との間にばね性を促進させる外力吸収部が形成されてあることを特徴とする請求項１から３のいずれか１項に記載のブラシ。
【発明の詳細な説明】
【技術分野】
【０００１】
本発明は、ブラシに関するものであり、特に、医療現場において、人体から検体を採取し、保持し、移送する為のブラシに関する。
【背景技術】
【０００２】
従来より、人体の腔（口、鼻、目、直腸、尿道、膣等）から検体を採取するためのブラシが知られている。このブラシは、検体を吸収する親水性の繊維で覆われたチップを先端に備えたロッドからなるものであり、前記親水性の繊維は静電植毛によって前記チップに被着されてある（特許文献１）。
【０００３】
また、棒状の軸部と、該軸部の一端の本体と、該本体を覆うベロア仕上げ部とを具備した検体採取用のブラシも知られている（特許文献２）。
【０００４】
また、非切断性の掻き取り縁部が形成され、ループ状の採取手段を有するシャフトからなる生物学的物質採取用デバイスも知られている（特許文献３）。
【先行技術文献】
【特許文献】
【０００５】
【特許文献１】特表２００７−５２３６６３号公報
【特許文献２】特公平６−７８３０号公報
【特許文献３】特許第２５５８３２４号
【発明の概要】
【発明が解決しようとする課題】
【０００６】
上記特許文献１に記載のブラシは、親水性の繊維で覆われたチップがオジーブのような丸みのある形状に成形されていて、人体に損傷や刺激を与えないように考慮されているものの、ロッドからの押圧力を吸収する構成を有していないので、ロッドから押圧力が加わらないように、検体の採取に際して慎重に作業する必要があった。
【０００７】
同様に、上記特許文献２に記載のブラシも、棒状の軸部の一端がベロア仕上げ部を有する本体となっていることから、棒状の軸部からの押圧力を吸収する構成を有していないので、軸部から押圧力が加わらないように、検体の採取に際して慎重に作業する必要があった。
【０００８】
また、上記特許文献３に記載の生物学的物質採取用デバイスは、ループ状に形成された採取手段が繊維等で覆われていないことから、検体採取時に被採取部の壁面等に当接した場合に、強い刺激を与えるものであった。
【０００９】
本発明は、上記従来の課題を解決するもので、検体採取時に、軸部から押圧力が加わり、被採取部の壁面等に当接した場合に、この押圧力を吸収して、人体に損傷や刺激を与えることを防ぐことができるブラシを提供することを目的としている。
【課題を解決するための手段】
【００１０】
上記従来の課題を解決する為に、請求項１の発明は、検体を収集し、保持すると共に、該検体を移送する為のものであって、軸部と前記軸部の一端に検体採取部とを有したブラシにおいて、前記検体採取部は細棒状の湾曲部を有すると共に、前記湾曲部の表面に繊維が植設されてあり、被採取部の壁面等に当接した時に変形可能に形成されてあることを特徴としている。したがって、検体採取部が、検体採取時に軸部から人体へ押圧力が加わり、被採取部の壁面等に当接した場合でも細棒状の湾曲部が変形することによって、押圧力を吸収するので、人体に損傷や刺激を与えることを防ぐことができる。さらに、植設された繊維により、検体が容易に絡みつき易く湾曲部が壁面等に当接しない時でも確実に検体を採取できる。
【００１１】
また、請求項２の発明は、請求項１記載の構成よりなるブラシにおいて、検体採取部は、細棒状の両端部が軸部端部で結合され、ループ形状に形成されてあることを特徴としている。したがって、検体採取時に軸部から人体へ押圧力が加わった場合でも細棒状のループ形状に形成された検体採取部が変形することによって、押圧力を吸収するので、人体に損傷や刺激を与えることを防ぐことができる。
【００１２】
また、請求項３の発明は、請求項１又は２記載の構成よりなるブラシにおいて、検体採取部は、外力によって容易に変形可能な弾性促進部が設けられていることを特徴としている。したがって、検体採取部の湾曲部による変形に、弾性促進部による変形が加わることによって、一層押圧力を吸収するので、人体に損傷や刺激を与えることを防ぐことができる。
【００１３】
さらに、請求項４の発明は、請求項１〜３のいずれかに記載の構成よりなるブラシにおいて、軸部と検体採取部との間にばね性を促進させる外力吸収部が形成されてあることを特徴としている。したがって、湾曲部による変形及び／又は、弾性促進部による変形に、外力吸収部による変形が加わることによって、一層押圧力を吸収するので、人体に損傷や刺激を与えることを防ぐことができる。
【発明の効果】
【００１４】
請求項１の発明では、検体採取部に細棒状の湾曲部を形成し、請求項２の発明では、検体採取部の細棒状の湾曲部をループ形状とし、請求項３の発明では、検体採取部に弾性促進部を形成したことによって、検体採取時に軸部から人体へ押圧力が加わった場合でも、この押圧力を吸収することができるので、人体に損傷や刺激を与えることを防ぐことができる。また、請求項４の発明では、外力吸収部による変形が加わることによって、一層押圧力を吸収するので、人体に損傷や刺激を与えることを防ぐことができる。
【図面の簡単な説明】
【００１５】
【図１】（ａ）本発明に係るブラシの第１の実施形態を示す正面図、（ｂ）同左側面図、（ｃ）図１（ａ）のＡ−Ａ断面図、（ｄ）図１（ｂ）のＢ−Ｂ断面図
【図２】（ａ）本発明に係るブラシの第２の実施形態を示す部分断面図、（ｂ）同左
【図３】（ａ）本発明に係るブラシの第３の実施形態を示す部分断面図、（ｂ）図３（ａ）の検体採取部に押圧力が加わった場合を示す部分断面図
【図４】（ａ）本発明に係るブラシの第４の実施形態を示す部分断面図、（ｂ）同左
【発明を実施するための形態】
【００１６】
図１は、本発明に係るブラシの第１の実施形態を示す図であり、図１（ａ）は正面図、図１（ｂ）は左側面図、図１（ｃ）は図１（ａ）のＡ−Ａ断面図、図１（ｄ）は図１（ｂ）のＢ−Ｂ断面図である。この図に示すように、ブラシ１０は、軸部１とこの軸部１の一端に検体採取部２とを有している。また、検体採取部２は細棒状の湾曲部３を有しており、両端部４ａ、４ｂが軸部端部１ａで結合されて、ループ形状に形成されてある。また、湾曲部３の表面には、繊維５が植設されてある。
【００１７】
繊維５の湾曲部３の表面への植設は、静電植毛を採用することによって、均一な毛丈となるようにすることができる。また、細棒状の検体採取部２のループ形状に形成されてある内側部分にも繊維５が植設されてある。
【００１８】
第１の実施形態のブラシ１０は上述の構成となっているので、検体採取者が軸部１を指でつまみ、検体採取部２を人体の腔（口、鼻、目、直腸、尿道、膣等）に挿入すると、該腔の壁面に当接して、繊維５が検体を採取することができる。そして、検体採取部２に押圧力が加わった場合でも細棒状のループ形状に形成されてあるので、変形して、押圧力を吸収することができるので、体に損傷や刺激を与えることを防ぐことができる。
【００１９】
図２は、本発明に係るブラシの第２の実施形態を示す図である。図２（ａ）に示すブラシ２０は、検体採取部２２の端部２４が、軸部２１の端部２１ａと結合せず、離れた状態となるように形成されてある。そして、湾曲部２３の表面には、繊維２５が植設されてある。また、細棒状の検体採取部２２の湾曲部２３の内側部分にも繊維２５が植設されてある。
【００２０】
次に、図２（ｂ）に示すブラシ３０は、検体採取部３２の両端部３４ａ、３４ｂが結合せず、離れた状態となるように形成されてある。そして、湾曲部３３の表面には、繊維３５が植設されてある。また、細棒状の検体採取部３２の湾曲部３３の内側部分にも繊維３５が植設されてある。
【００２１】
図２（ａ）及び（ｂ）で示したブラシ２０、３０は上述のような構成となっているので、検体採取者が軸部２１、３１を指でつまみ、検体採取部２２、３２を人体の腔（口、鼻、目、直腸、尿道、膣等）に挿入すると、該腔の壁面に当接して、繊維２５、３５が検体を採取することができる。そして、検体採取部２２、３２に押圧力が加わった場合でも細棒状の湾曲部２３、３３が変形して、押圧力を吸収することができるので、体に損傷や刺激を与えることを防ぐことができる。また、前記腔の壁面に当接しない場合においても、植設された繊維が検体を絡みつける事ができる為、確実に検体を採取できる。
【００２２】
図３は、本発明に係るブラシの第３の実施形態を示す図である。図３（ａ）に示すブラシ４０は、検体採取部４２の細棒状の湾曲部４３の２箇所に弾性促進部４７が形成されてある。この弾性促進部４７はＶ字状の切れ込みによって形成されてある。そして、弾性促進部４７は、検体採取部４２に押圧力が加わった場合には、図３（ｂ）に示すように、変形してＶ字状の切れ込みが閉じた状態となる。
【００２３】
図３（ａ）及び（ｂ）で示したブラシ４０は上述のような構成となっているので、検体採取者が軸部４１を指でつまみ、検体採取部４２を人体の腔（口、鼻、目、直腸、尿道、膣等）に挿入すると、該腔の壁面に当接して、繊維４５が検体を採取することができる。そして、検体採取部４２に押圧力が加わった場合でも細棒状の湾曲部４３と弾性促進部４７とが変形して、押圧力を吸収することができるので、体に損傷や刺激を与えることを防ぐことができる。
【００２４】
図４は、本発明に係るブラシの第４の実施形態を示す図である。図４（ａ）に示すブラシ５０は、軸部５１と検体採取部５２との間に、ばね性を促進させる外力吸収部５８が形成されてある。この外力吸収部５８は、コイル状に形成されてある。
【００２５】
次に、図４（ｂ）に示すブラシ６０は、軸部６１と検体採取部６２との間に、ばね性を促進させる外力吸収部６８が形成されてある。この外力吸収部６８は、波形のスプリング状に形成されてある。
【００２６】
図４（ａ）及び（ｂ）で示したブラシ５０、６０は上述のような構成となっているので、検体採取者が軸部５１、６１を指でつまみ、検体採取部５２、６２を人体の腔（口、鼻、目、直腸、尿道、膣等）に挿入すると、該腔の壁面に当接して、繊維５５、６５が検体を採取することができる。そして、検体採取部５２、６２に押圧力が加わった場合でも細棒状の湾曲部５３、６３と外力吸収部５８、６８とが変形して、押圧力を吸収することができるので、体に損傷や刺激を与えることを防ぐことができる。
【００２７】
尚、本発明の趣旨を逸脱しない範囲で様々な実施形態をとることができることは言うまでもない。例えば、第３実施形態及び第４実施形態では、第１実施形態の図１で示したループ形状の検体採取部で説明しているが、第２実施形態の図２で示した形状の構成としてもよく、この実施形態も本発明に含まれるものである。さらに、第３実施形態と第４実施形態とを組み合わせてもよく、この実施形態も本発明に含まれるものである。
【産業上の利用可能性】
【００２８】
本発明のブラシは、医療現場において、人体から検体を採取し、保持し、移送する為のブラシとして利用される。
【符号の説明】
【００２９】
１、２１、３１、４１、５１、６１  軸部
１ａ  軸部端部
２、２２、３２、４２、５２、６２  検体採取部
３、２３、３３、４３、５３、６３  湾曲部
４ａ、４ｂ、２１ａ、２４、３４ａ、３４ｂ  端部
５、２５、３５、４５、５５、６５  繊維
１０、２０、３０、４０、５０、６０  ブラシ
４７  弾性促進部
５８、６８  外力吸収部
【図１】
2012024119.tif 000003
【図２】
2012024119.tif 000004
【図３】
2012024119.tif 000005
【図４】
2012024119.tif 000006